(57)【要約】【課題】天井点検口を天井に装着したときに、室内側に露出する外枠と内枠との露出面積を少なくして美観の向上が図られた天井点検口を提供する。【解決手段】平面形状が正方形もしくは長方形などの矩形を呈する外枠２と、この外枠２に対して収納された状態と、下向きに回動した状態との間で外枠２に回動自在に支持される平面形状が正方形もしくは長方形などの矩形を呈する内枠３とを備える天井点検口１は、外枠２の１辺内側面側と、外枠２の１辺に対向する内枠３の１辺外側面側との間を左右両側部に一対のコの字形連結部を持つ線材からなる連結手段である連結金具４で連結するようにし、連結金具４の互いに平行な連結線材部の一方は外枠２側の軸受部材である軸受け金具６に回転自在に差し込み連結し、平行な連結線材部の他方は内枠側の軸受部材である軸受け金具５に差し込み連結する。【選択図】図２
2013023869.tif 000002
【特許請求の範囲】
【請求項１】
平面形状が正方形もしくは長方形などの矩形を呈する外枠と、この外枠に対して収納された状態と、下向きに回動した状態との間で外枠に回動自在に支持される平面形状が正方形もしくは長方形などの矩形を呈する内枠とを備える天井点検口において、
前記外枠の１辺内側面側と、前記外枠の１辺に対向する内枠の１辺外側面側との間を左右両側部に一対のコの字形連結部を持つ線材からなる連結手段で連結するようにし、前記コの字形連結部の互いに平行な連結線材部の一方は外枠側の軸受部材に回転自在に差し込み連結し、前記平行な連結線材部の他方は内枠側の軸受部材に差し込み連結してなることを特徴とする天井点検口。
【発明の詳細な説明】
【技術分野】
【０００１】
本発明は、外枠内に内枠が回動自在に係合される天井点検口に関する。
【背景技術】
【０００２】
特許文献１に記載される天井点検口では、外枠の４つの辺を構成する外枠材のうち任意の外枠材に内枠を係合させるために、各外枠材には内枠を回動自在に支持する係止片が設けられ、内枠の４つの辺を構成する内枠材のうち一つの内枠材には、各外枠材の下端内側に設けられた係止片のうちのいずれか一つの係止片に係合する係合片が設けられている。
【先行技術文献】
【特許文献】
【０００３】
【特許文献１】特開平９−２４２３１８号公報
【発明の概要】
【発明が解決しようとする課題】
【０００４】
特許文献１に記載の天井点検口では、外枠材の断面形状と内枠材の断面形状とは、ともに逆Ｔ字型に形成されており、天井点検口を天井に装着したときに、外枠材と内枠材とのＴ字頭部を形成する片が室内側に露出し、天井点検口取り付け部の美観を損なうという問題がある。
本発明の目的は、天井点検口を天井に装着したときに、室内側に露出する外枠と内枠との露出面積を少なくして美観の向上が図られた天井点検口を提供することである。
【課題を解決するための手段】
【０００５】
請求項１に記載の発明は、平面形状が正方形もしくは長方形などの矩形を呈する外枠と、この外枠に対して収納された状態と、下向きに回動した状態との間で外枠に回動自在に支持される平面形状が正方形もしくは長方形などの矩形を呈する内枠とを備える天井点検口において、前記外枠の１辺内側面側と、前記外枠の１辺に対向する内枠の１辺外側面側との間を左右両側部に一対のコの字形連結部を持つ線材からなる連結手段で連結するようにし、前記コの字形連結部の互いに平行な連結線材部の一方は外枠側の軸受部材に回転自在に差し込み連結し、前記平行な連結線材部の他方は内枠側の軸受部材に差し込み連結してなることを特徴とするものである。
【発明の効果】
【０００６】
請求項１の発明によれば、外枠の１辺内側面側と外枠の１辺に対向する内枠の１辺外側面側との間を左右両側部に一対のコの字形連結部を持つ線材からなる連結手段で連結し、コの字形連結部の互いに平行な連結線材部の一方は外枠側の軸受部材に回転自在に差し込み連結し、平行な連結線材部の他方は内枠側の軸受部材に差し込み連結するので、外枠の下端内側に内枠を支持する係合片を設け、さらに内枠の下端外側に外枠に係合する係合片を設けることを要しないので、天井点検口を天井に装着したときに、室内側に露出する外枠と内枠との露出面積を少なくして美観の向上を図ることができる。
【図面の簡単な説明】
【０００７】
【図１】本発明の一実施の形態に係る天井点検口の平面図である。
【図２】天井点検口のＡ−Ａ断面図である。
【図３】内枠が開けられた天井点検口の斜視図である。
【図４】内枠が開けられた天井点検口の断面図である。
【図５】外枠と内枠との連結部分の斜視図である。
【図６】軸受け金具が装着された連結金具の斜視図である。
【図７】軸受け金具の斜視図である。
【図８】軸受け金具の斜視図である。
【図９】軸受け金具の装着手順を示す斜視図である。
【図１０】軸受け金具の装着手順を示す斜視図である。
【図１１】内枠の開閉手順を示す断面図である。
【図１２】内枠の開閉手順を示す断面図である。
【発明を実施するための形態】
【０００８】
本発明の一実施の形態について図１〜図１２に基づいて説明する。図１は本発明の一実施の形態に係る天井点検口１の平面図である。図２は天井点検口１のＡ−Ａ断面図である。図３は内枠３が開けられた天井点検口１の斜視図である。図４は内枠３が開けられた天井点検口１の断面図である。図５は外枠２と内枠３との連結部分の斜視図である。図６は軸受け金具５が装着された連結金具４の斜視図である。図７は軸受け金具５の斜視図である。図８は軸受け金具６の斜視図である。図９および図１０は軸受け金具６の装着手順を示す斜視図である。図１１および図１２は内枠３の開閉手順を示す断面図である。
【０００９】
天井点検口１は、外枠２と、外枠２に開閉自在に係合される内枠３とを備える。内枠３は連結金具４を介して外枠２に回動自在に支持される。連結金具４は軸受け金具５，６によって内枠３と外枠２とに支持される。
【００１０】
外枠２は正方形の枠体であり、枠体の各辺を構成する各外枠材７はアルミ押し出し材を用いて形成される。外枠材７は長尺な平板状であり、外枠材７の内面には長手方向に沿った案内溝８が形成される。案内溝８は、外枠材７の上端部に沿って長手方向に形成される溝部９ａと、溝部９ａの下方に溝部９ａと対称に形成される溝部９ｂとを備える。外枠材７の下端には外側に向かって形成される凸部１０が全長に亘って形成される。凸部１０は天井に開けられた開口部周縁に係合する。
【００１１】
隣接する外枠材７，７同士は連結金具１１によって連結される。連結金具１１は金属製の平板をプレス加工してＬ字状に曲げて形成される。連結金具１１の２つの辺が、各々隣接する外枠材７，７の長手方向端部から案内溝８に嵌め込まれる。案内溝８に嵌め込まれた連結金具１１は、外枠材７，７にかしめられる。
【００１２】
外枠材７のうち内枠３を回動自在に支持する外枠材７ａには、適当間隔を開けて段付き部１２が２箇所形成される。段付き部１２は、プレス加工によって外枠材７ａの内面側に凸となるように形成され、段付き部１２には長手方向に細長な長孔１３が形成される。
【００１３】
内枠３は、正方形の枠体であり、枠体の各辺を構成する内枠材１６はアルミ押し出し材を用いて形成される。内枠材１６は長尺に形成され、平板部１７と平板部１７の下方に形成され外側に張り出す段付き部１８とを備える。平面部１７の外面には長手方向に沿った案内溝１９が形成されている。案内溝１９は、内枠材１６の上端部に沿って長手方向に形成される溝部２０ａと、溝部２０ａと対称に溝部２０ａの下方に形成される溝部２０ｂとを備える。
【００１４】
隣接する内枠材１６，１６同士は連結金具２１によって連結される。連結金具１１は金属製の平板をプレス加工してＬ字状に曲げて形成される。連結金具２１の２つの辺が、各々隣接する内枠材１６，１６の長手方向端部から案内溝１９に嵌め込まれる。案内溝１９に嵌め込まれた連結金具２１は、２つの辺に形成された複数の貫通孔２３を用いて内枠材１６，１６にかしめられる。
【００１５】
内枠材１６のうち外枠材７ａに回動自在に支持される内枠材１６ａには、適当間隔を開けた２箇所に段付き部２２が形成される。段付き部２２は、プレス加工によって内枠材１６ａの外面に凸となるように形成され、段付き部２２には丸孔が形成される。
【００１６】
連結金具４は線形のばね材を曲げ加工して形成される。連結金具４は、長尺な直線状の辺２６と、辺２６の両端部から直角に立ち上がり互いに平行に形成される辺２７，２７と、辺２７，２７の端部から直角に立ち上がり辺２６と平行に形成される辺２８，２８とを備え、縦長なＣ字形の形状を有する。なお、連結金具４は、辺２６に軸受け金具５が係合された状態で曲げ加工される。
【００１７】
連結金具４を内枠材１６ａに支持する軸受け金具５は、金属製の平板を曲げ加工して形成される。軸受け金具５は、平板部３１と、平板部３１の一端を円弧状に曲げて形成され連結金具４の辺２６が挿通される孔部３２と、平板部３１の他端を曲げて形成され段付き部２２の下端に係止される係止部３３とを備える。平板部３１には軸受け金具５を段付き部２２にねじ止めするための雌ねじ３０が形成される。
【００１８】
連結金具４を外枠材７ａに支持する軸受け金具６は金属製の平板を曲げ加工して形成される。軸受け金具６は、平板部３６と、平板部３６の一端を円弧状に曲げて形成され連結金具４の辺２８，２８が挿通される孔部３７と、平板部３６の他端を曲げて形成され段付き部１２の上端に係止される係止部３８とを備える。平板部３６には軸受け金具６を段付き部１２にねじ止めするための雌ねじ３９が形成される。
【００１９】
外枠材７ａの段付き部１２近傍には連結金具４の辺２８基端部を支持する補助金具４３が設けられている。補助金具４３は金属製の平板を曲げ加工して形成され、断面が円弧状に形成された支持部４４を備える。補助金具４３の上端と下端とは案内溝８に嵌め込まれる。軸受け金具５が段付き部２２にねじ止めされた連結金具４の辺２８基端部が支持部４４に引っ掛けられる。
【００２０】
なお、内枠３の内面には、ボード取り付け部材４２が設けられる。ボード取り付け部材４２は、アルミ押し出し材を用いて断面がＬ字形の長尺に形成され、タッピングねじによって各内枠材１６の内面にねじ止めされる。ボード取り付け部材４２には天井下地材４０がねじ止めされ、天井下地材４０の下面側には天井仕上げ材４１が接着される。
【００２１】
ここで天井点検口１の取り付け手順について説明する。まず連結金具１１を用いて外枠材７を連結し、外枠２を形成する。さらに連結金具２１を用いて内枠材１６を連結し、内枠３を形成する。連結金具４の辺２６に装着されている軸受け金具５を内枠材１６ａの段付き部２２にねじ止めする。軸受け金具５は、段付き部２２の奥側に挿入されて係止部３３が段付き部２２の下端に係止された状態でねじ止めされる。
【００２２】
補助金具４３の上端と下端とを案内溝８に嵌め込み、軸受け金具５が段付き部２２にねじ止めされた連結金具４の辺２８基端部を補助金具４３の支持部４４に引っ掛ける。軸受け金具６を外枠材７ａの段付き部１２奥側に挿入し、係止部３８を段付き部１２の上端に係止させる。この状態で軸受け金具６を段付き部１２に仮止めする（図９参照）。仮止めした軸受け金具６を長孔１３に沿って外枠材７ａの端部側に移動させ、孔部３７を連結金具４の辺２８に係合させた後に増し締めして固定する（図１０参照）。なお詳述しないが、内枠材１６ａと対向する内枠材１６ｂには、内枠３を外枠２にロックする係止装置が設けられる。
【００２３】
天井点検口１の動作について説明する。係止装置を解除して内枠３を開く場合には、内枠材１６ｂ側を下方に降ろして、内枠材１６ｂを外枠２の下側に突出させる（図１１参照）。この状態で内枠材１６ａ側を下方に降ろすと、連結金具４は外枠材７ａに係止された辺２８を中心として回動し、図１２に示す状態となる。さらに内枠材１６ｂ側を下方に降ろして、図４に示す状態とすることができる。
【００２４】
連結金具４の辺２８は外枠材７ａの内面近傍に係止されており、連結金具４の辺２６は内枠材１６ａの上端に係止されているので、図４に示すように内枠３が開けられたとき広い開口部が形成される。
【００２５】
図４に示す開けられた状態から内枠３を閉じる場合には、図１２に示すように内枠材１６ｂ側が水平位置よりもやや下がった位置まで内枠材１６ｂ側を上方に持ち上げる。次に辺２８を中心として連結金具４を回動させ、内枠材１６ａ側を上方に持ち上げる。図１１に示すように、連結金具４の辺２６が辺２８の上方に位置し内枠材１６ａ側が外枠２の内部に納まった状態で、内枠材１６ｂ側を持ち上げて内枠３を外枠２に収納する。内枠３はこのようにして閉じられる。
【００２６】
連結金具４の辺２８は外枠材７ａの上下方向略中央部で支持されており、外枠材７ａの下端内側に内枠３が係合する係合部を設けなくてもよいので外枠材７の下部を上下方向に細長な板状とすることができる。連結金具４の辺２６は内枠材１６ａの上端で支持されており、内枠材１６ａの下端内側に外枠２が係合する係合部を設けなくてもよいので、内枠材１６ａの下部を上下方向に細長な板状とすることができる。外枠材７と内枠材１６との下部を上下方向に細長な板状とすることができるので、天井点検口１を天井に装着したときに、室内側に露出する外枠２と内枠３との露出部分を少なくすることができる。
【００２７】
なお、本実施の形態において、連結金具４はＣ字形の一体ものとされており、辺２６に軸受け金具５，５が係合された状態で曲げ加工されるが、連結金具４の辺２６を切り離し軸受け金具５，５を２つの異なる連結金具４に各々係合させることもできる。この場合には、連結金具を形成した後に軸受け金具５，５を係合させることができる。
【００２８】
このように、平面形状が正方形もしくは長方形などの矩形を呈する外枠２と、この外枠２に対して収納された状態と、下向きに回動した状態との間で外枠２に回動自在に支持される平面形状が正方形もしくは長方形などの矩形を呈する内枠３とを備える天井点検口１は、外枠２の１辺内側面側と、外枠２の１辺に対向する内枠３の１辺外側面側との間を左右両側部に一対のコの字形連結部を持つ線材からなる連結手段である連結金具４で連結するようにし、連結金具４の互いに平行な連結線材部の一方は外枠２側の軸受部材である軸受け金具６に回転自在に差し込み連結し、平行な連結線材部の他方は内枠側の軸受部材である軸受け金具５に差し込み連結するので、外枠２の下端内側に内枠３を支持する係合片を設け、さらに内枠３の下端外側に外枠２に係合する係合片を設けることを要しないので、天井点検口１を天井に装着したときに、室内側に露出する外枠２と内枠３との露出部分を少なくして美観の向上を図ることができる。
【符号の説明】
【００２９】
１    天井点検口
２    外枠
３    内枠
４    連結金具
５，６    軸受け金具
７，７ａ，７ｂ    外枠材
８    案内溝
９ａ，９ｂ    溝部
１０    凸部
１１    連結金具
１２    段付き部
１３    長孔
１６，１６ａ，１６ｂ    内枠材
１７    平板部
１８    段付き部
１９    案内溝
２０ａ，２０ｂ    溝部
２１    連結金具
２２    段付き部
２３    貫通孔
２６，２７，２８    辺
３０，３９    雌ねじ
３１，３６    平板部
３２，３７    孔部
３３，３８    係止部
４３    補助金具
４４    支持部
【図１】
2013023869.tif 000003
【図２】
2013023869.tif 000004
【図３】
2013023869.tif 000005
【図４】
2013023869.tif 000006
【図５】
2013023869.tif 000007
【図６】
2013023869.tif 000008
【図７】
2013023869.tif 000009
【図８】
2013023869.tif 000010
【図９】
2013023869.tif 000011
【図１０】
2013023869.tif 000012
【図１１】
2013023869.tif 000013
【図１２】
2013023869.tif 000014